(57)【特許請求の範囲】
【請求項１】
複数の通信システムを統合して一つの通信サービスを提供する通信システムにおいて、
ページングエージェントを介さずに前記複数の通信システムからそれぞれページング信号を端末へ送信する第１のステップと、
前記端末において前記ページングエージェントを介さずに前記複数の通信システムから直接複数の前記ページング信号を受信し、受信した複数の前記ページング信号中に含まれる通信コスト、伝送品質、伝送速度の少なくともいずれか１つを含む情報に基づいて、当該端末自身が利用したい通信システムを前記複数の通信システムの中から選択する第２のステップと
を有することを特徴とするページング制御方法。
【請求項２】
前記端末において前記第２のステップで選択した通信システムに対して接続要求信号を送信する第３のステップをさらに有することを特徴とする請求項１に記載のページング制御方法。
【請求項３】
複数の通信システムを統合して一つの通信サービスを提供し、ページング信号を管理するページングエージェントを有する通信システムにおいて、
端末から前記ページングエージェントに対して当該端末自身が選択または設定した通信システムの通信コスト、伝送品質、伝送速度の少なくともいずれか１つに係わる要求条件および該端末の位置情報を予め送信し、該ページングエージェントにおいて受信した前記要求条件および前記位置情報を登録する第１のステップと、
前記ページングエージェントにおいて、前記登録された前記端末の位置情報と前記要求条件に基づいて、前記複数の通信システムの中から最適な通信システムを選択する第２のステップと、
前記選択された前記最適な通信システムから前記端末にページング信号を送信する第３のステップと
を有することを特徴とするページング制御方法。
【請求項４】
前記端末において前記最適な通信システムに対して接続要求信号を送信する第４のステップをさらに有することを特徴とする請求項３に記載のページング制御方法。
【請求項５】
複数の通信システムを統合して一つの通信サービスを提供し、ページング信号を管理するページングエージェントを有する通信システムにおいて、
端末から前記ページングエージェントに対して当該端末自身が選択または設定した通信システムの通信コスト、伝送品質、伝送速度の少なくともいずれか１つに係わる要求条件および該端末の位置情報を予め送信し、該ページングエージェントにおいて受信した前記要求条件および前記位置情報を登録する第１のステップと、
前記ページングエージェントにおいて前記登録された前記端末の位置情報と前記要求条件に基づいて前記複数の通信システムの中から最適な通信システムを選択する第２のステップと、
前記複数の通信システムの内で前記端末に対して送信することが予め定められている所定の通信システムから前記端末に対して前記第２のステップで選択された通信システム名が含まれるページング信号を送信する第３のステップと
を有することを特徴とするページング制御方法。
【請求項６】
前記端末において前記所定の通信システムに対して接続要求信号を送信し、前記ページング信号に含まれている前記選択された通信システムからの情報信号を待機する第４ステップをさらに有することを特徴とする請求項５に記載のページング制御方法。
【請求項７】
複数の通信システムを統合して一つの通信サービスを提供する通信システムにおいて、
外部ネットワークと接続して前記複数の通信システムからそれぞれページング信号を送信させる通信制御手段と、
前記複数の通信システムからページングエージェントを介さずに直接複数の前記ページング信号を受信して、受信した複数の前記ページング信号中に含まれる通信コスト、伝送品質、伝送速度の少なくともいずれか１つを含む情報に基づいて、当該端末自身が利用したい通信システムを前記複数の通信システムの中から選択する端末と
を有することを特徴とするページング制御システム。
【請求項８】
前記端末は前記選択した通信システムに対して接続要求信号を送信することを特徴とする請求項７に記載のページング制御システム。
【請求項９】
複数の通信システムを統合して一つの通信サービスを提供し、ページング信号を管理するページングエージェントを有する通信システムにおいて、
前記ページングエージェントに対して当該端末自身が選択または設定した通信システムの通信コスト、伝送品質、伝送速度の少なくともいずれか１つに係わる要求条件および該端末の位置情報を予め送信する端末と、
受信した前記要求条件および前記位置情報を登録する前記ページングエージェント内の登録手段と、
前記登録手段に登録された前記端末の位置情報と前記要求条件に基づいて、前記複数の通信システムの中から最適な通信システムを選択する前記ページングエージェント内の選択手段と、
前記選択手段で選択された前記最適な通信システムから前記端末にページング信号を送信させる通信制御手段と
を有することを特徴とするページング制御システム。
【請求項１０】
前記端末は受信した前記最適な通信システムに対して接続要求信号を送信することを特徴とする請求項９に記載のページング制御システム。
【請求項１１】
複数の通信システムを統合して一つの通信サービスを提供し、ページング信号を管理するページングエージェントを有する通信システムにおいて、
前記ページングエージェントに対して当該端末自身が選択または設定した通信システムの通信コスト、伝送品質、伝送速度の少なくともいずれか１つに係わる要求条件および該端末の位置情報を予め送信する端末と、
受信した前記要求条件および前記位置情報を登録する前記ページングエージェント内の記憶手段と、
前記記憶手段に登録された前記端末の位置情報と前記要求条件に基づいて前記複数の通信システムの中から最適な通信システムを選択する前記ページングエージェント内の選択手段と、
前記複数の通信システムの内で前記端末に対して送信することが予め定められている所定の通信システムから前記端末に対して前記選択手段で選択された通信システム名が含まれるページング信号を送信する通信制御手段と
を有することを特徴とするページング制御システム。
【請求項１２】
前記端末は、前記所定の通信システムに対して接続要求信号を送信し、前記ページング信号に含まれている前記選択された通信システムからの情報信号を待機することを特徴とする請求項１１に記載のページング制御システム。
【請求項１３】
前記選択手段は、前記通信制御手段からの最適通信システムの問い合わせに応じて、前記最適な通信システムの選択を遂行することを特徴とする請求項９ないし１２のいずれかに記載のページング制御システム。
【請求項１４】
複数の通信システムを統合して一つの通信サービスを提供し、ページング信号を管理するページングエージェントを有する通信システムにおいて、前記ページングエージェントをコンピュータにより制御するためのページング制御プログラムを記録した記録媒体であって、該プログラムはコンピュータに対し、
端末から送信される当該端末自身が選択または設定した通信システムの通信コスト、伝送品質、伝送速度の少なくともいずれか１つに係わる要求条件および該端末の位置情報を受信させ、
受信した前記端末の位置情報と前記要求条件を登録させ、
登録された前記端末の位置情報と前記要求条件に基づいて、前記複数の通信システムの中から最適な通信システムを選択させ、
選択された前記最適な通信システムから前記端末にページング信号を送信させることを特徴とするページング制御プログラムを記録した記録媒体。
【請求項１５】
複数の通信システムを統合して一つの通信サービスを提供し、ページング信号を管理するページングエージェントを有する通信システムにおいて、前記ページングエージェントをコンピュータにより制御するためのページング制御プログラムを記録した記録媒体であって、該プログラムはコンピュータに対し、
端末から送信される当該端末自身が選択または設定した通信システムの通信コスト、伝送品質、伝送速度の少なくともいずれか１つに係わる要求条件および該端末の位置情報を受信させ、
受信した前記端末の位置情報と前記要求条件を登録させ、
登録された前記端末の位置情報と前記要求条件に基づいて、前記複数の通信システムの中から最適な通信システムを選択させ、
前記複数の通信システムの内で前記端末に対して送信することが予め定められている所定の通信システムから前記端末に対して前記選択された最適な通信システム名が含まれるページング信号を送信させることを特徴とするページング制御プログラムを記録した記録媒体。
【発明の詳細な説明】
【０００１】
【発明の属する技術分野】
本発明は、無線通信チャネルまたは有線通信チャネルを介して端末に通信サービスを提供する通信システムにおけるページング制御方法およびページング制御システム、並びにページング制御プログラムを記録した記録媒体に関する。
【０００２】
【従来の技術】
移動体通信システムにおける移動局のように端末のバッテリーが制限されている場合、端末は通常バッテリセービングのためにアイドルモードと呼ばれる情報の送受信を行わず電力を消費しないモードとなっている。基地局がアイドルモードの端末に対して下り情報信号を送信する際には、実際の情報信号を送信する前にページング信号と呼ばれる、端末をアイドルモードから受信可能モード（スタンバイモード）に移行させる信号を送信する。このような制御をページング制御と呼ぶ。
【０００３】
従来の通信システムでは、一つの通信システムで閉じたサービスを提供しており、このためページング制御も通信システムごとに行っている。
【０００４】
【発明が解決しようとする課題】
これに対し、特徴の異なる複数の通信システムを統合して、その複数の通信システムから選択されたある通信サービスを端末に対して提供するという仮想的な通信システムは、端末の要求条件に対して柔軟な対応が可能となるため、非常に効率的なシステムとなり得ると考えられる。
【０００５】
しかし、これまでに、このような複数の通信システムを統合した通信システムを対象とした効率的なページング制御は考えられていない。
【０００６】
そこで、本発明では、複数の通信システムを統合して一つの通信サービスを提供する通信システムを対象とした効率的なページング制御の実現を目的とする。
【０００７】
【課題を解決するための手段】
上記目的を達成するため、請求項１の通信システムにおけるページング制御方法の発明は、複数の通信システムを統合して一つの通信サービスを提供する通信システムにおいて、
ページングエージェントを介さずに前記複数の通信システムからそれぞれページング信号を端末へ送信する第１のステップと、前記端末において前記ページングエージェントを介さずに前記複数の通信システムから直接複数の前記ページング信号を受信し、受信した複数の前記ページング信号中に含まれる通信コスト、伝送品質、伝送速度の少なくともいずれか１つを含む情報に基づいて、当該端末自身が利用したい通信システムを前記複数の通信システムの中から選択する第２のステップとを有することを特徴とする。
【０００８】
ここで、前記端末において前記第２のステップで選択した通信システムに対して接続要求信号を送信する第３のステップをさらに有することを特徴とすることができる。
【０００９】
上記目的を達成するため、請求項３の通信システムにおけるページング制御方法の発明は、複数の通信システムを統合して一つの通信サービスを提供し、ページング信号を管理するページングエージェントを有する通信システムにおいて、端末から前記ページングエージェントに対して当該端末自身が選択または設定した通信システムの通信コスト、伝送品質、伝送速度の少なくともいずれか１つに係わる要求条件および該端末の位置情報を予め送信し、該ページングエージェントにおいて受信した前記要求条件および前記位置情報を登録する第１のステップと、前記ページングエージェントにおいて、前記登録された前記端末の位置情報と前記要求条件に基づいて、前記複数の通信システムの中から最適な通信システムを選択する第２のステップと、前記選択された前記最適な通信システムから前記端末にページング信号を送信する第３のステップとを有することを特徴とする。
【００１０】
ここで、前記端末において前記最適な通信システムに対して接続要求信号を送信する第４のステップをさらに有することを特徴とすることができる。
【００１１】
上記目的を達成するため、請求項５の通信システムにおけるページング制御方法の発明は、複数の通信システムを統合して一つの通信サービスを提供し、ページング信号を管理するページングエージェントを有する通信システムにおいて、端末から前記ページングエージェントに対して当該端末自身が選択または設定した通信システムの通信コスト、伝送品質、伝送速度の少なくともいずれか１つに係わる要求条件および該端末の位置情報を予め送信し、該ページングエージェントにおいて受信した前記要求条件および前記位置情報を登録する第１のステップと、前記ページングエージェントにおいて前記登録された前記端末の位置情報と前記要求条件に基づいて前記複数の通信システムの中から最適な通信システムを選択する第２のステップと、前記複数の通信システムの内で前記端末に対して送信することが予め定められている所定の通信システムから前記端末に対して前記第２のステップで選択された通信システム名が含まれるページング信号を送信する第３のステップとを有することを特徴とする。
【００１２】
ここで、前記端末において前記所定の通信システムに対して接続要求信号を送信し、前記ページング信号に含まれている前記選択された通信システムからの情報信号を待機する第４ステップをさらに有することを特徴とすることができる。
【００１４】
上記目的を達成するため、請求項７のページング制御システムの発明は、複数の通信システムを統合して一つの通信サービスを提供する通信システムにおいて、外部ネットワークと接続して前記複数の通信システムからそれぞれページング信号を送信させる通信制御手段と、前記複数の通信システムからページングエージェントを介さずに直接複数の前記ページング信号を受信して、受信した複数の前記ページング信号中に含まれる通信コスト、伝送品質、伝送速度の少なくともいずれか１つを含む情報に基づいて、当該端末自身が利用したい通信システムを前記複数の通信システムの中から選択する端末とを有することを特徴とする。
【００１５】
ここで、前記端末は前記選択した通信システムに対して接続要求信号を送信することを特徴とすることができる。
【００１６】
上記目的を達成するため、請求項９のページング制御システムの発明は、複数の通信システムを統合して一つの通信サービスを提供し、ページング信号を管理するページングエージェントを有する通信システムにおいて、前記ページングエージェントに対して当該端末自身が選択または設定した通信システムの通信コスト、伝送品質、伝送速度の少なくともいずれか１つに係わる要求条件および該端末の位置情報を予め送信する端末と、受信した前記要求条件および前記位置情報を登録する前記ページングエージェント内の登録手段と、前記登録手段に登録された前記端末の位置情報と前記要求条件に基づいて、前記複数の通信システムの中から最適な通信システムを選択する前記ページングエージェント内の選択手段と、前記選択手段で選択された前記最適な通信システムから前記端末にページング信号を送信させる通信制御手段とを有することを特徴とする。
【００１７】
ここで、前記端末は受信した前記最適な通信システムに対して接続要求信号を送信することを特徴とすることができる。
【００１８】
上記目的を達成するため、請求項１１のページング制御システムの発明は、複数の通信システムを統合して一つの通信サービスを提供し、ページング信号を管理するページングエージェントを有する通信システムにおいて、前記ページングエージェントに対して当該端末自身が選択または設定した通信システムの通信コスト、伝送品質、伝送速度の少なくともいずれか１つに係わる要求条件および該端末の位置情報を予め送信する端末と、受信した前記要求条件および前記位置情報を登録する前記ページングエージェント内の記憶手段と、前記記憶手段に登録された前記端末の位置情報と前記要求条件に基づいて前記複数の通信システムの中から最適な通信システムを選択する前記ページングエージェント内の選択手段と、前記複数の通信システムの内で前記端末に対して送信することが予め定められている所定の通信システムから前記端末に対して前記選択手段で選択された通信システム名が含まれるページング信号を送信する通信制御手段とを有することを特徴とする。
【００１９】
ここで、前記端末は、前記所定の通信システムに対して接続要求信号を送信し、前記ページング信号に含まれている前記選択された通信システムからの情報信号を待機することを特徴とすることができる。
【００２１】
また、前記選択手段は、前記通信制御手段からの最適通信システムの問い合わせに応じて、前記最適な通信システムの選択を遂行することを特徴とすることができる。
【００２２】
上記目的を達成するため、請求項１４の記録媒体の発明は、複数の通信システムを統合して一つの通信サービスを提供し、ページング信号を管理するページングエージェントを有する通信システムにおいて、前記ページングエージェントをコンピュータにより制御するためのページング制御プログラムを記録した記録媒体であって、該プログラムはコンピュータに対し、端末から送信される当該端末自身が選択または設定した通信システムの通信コスト、伝送品質、伝送速度の少なくともいずれか１つに係わる要求条件および該端末の位置情報を受信させ、受信した前記端末の位置情報と前記要求条件を登録させ、登録された前記端末の位置情報と前記要求条件に基づいて、前記複数の通信システムの中から最適な通信システムを選択させ、選択された前記最適な通信システムから前記端末にページング信号を送信させることを特徴とする。
【００２３】
上記目的を達成するため、請求項１５の記録媒体の発明は、複数の通信システムを統合して一つの通信サービスを提供し、ページング信号を管理するページングエージェントを有する通信システムにおいて、前記ページングエージェントをコンピュータにより制御するためのページング制御プログラムを記録した記録媒体であって、該プログラムはコンピュータに対し、端末から送信される当該端末自身が選択または設定した通信システムの通信コスト、伝送品質、伝送速度の少なくともいずれか１つに係わる要求条件および該端末の位置情報を受信させ、受信した前記端末の位置情報と前記要求条件を登録させ、登録された前記端末の位置情報と前記要求条件に基づいて、前記複数の通信システムの中から最適な通信システムを選択させ、前記複数の通信システムの内で前記端末に対して送信することが予め定められている所定の通信システムから前記端末に対して前記選択された最適な通信システム名が含まれるページング信号を送信させることを特徴とする。
【００２４】
【発明の実施の形態】
以下、図面を参照して本発明の実施の形態を詳細に説明する。
【００２５】
（第１の実施形態）
図１は本発明の第１の実施形態の通信システムの概略構成を示すブロック図である。同図において、１は外部ネットワーク、２はゲートウェイ（ＧＷ）、３、４および５は通信システムＡ、通信システムＢ、通信システムＣであり、６は端末である。本実施形態では、外部ネットワーク１からの信号は、ゲートウェイ２を経由して、各通信システム３〜５に送信されるものとする。通信システム３〜５はそれぞれ異なる通信システムであるが、有線システムでも無線システムでもよく、ゲートウェイ２を介して統合されている。
【００２６】
図２は図１の各通信システム３〜５から送信されるページング信号の一例を示す信号フォーマット図である。Ｓ１は通信システムＡのページング信号、Ｓ２は通信システムＢのページング信号、およびＳ３は通信システムＣのページング信号であり、それぞれ呼び出し端末アドレス、各自のシステム名フィールド、各システムの通信コスト情報フィールドが含まれている。図２の具体例では、通信システムの通信コストは、Ｓ１＜Ｓ２＜Ｓ３の関係にあり、通信システムＡの通信コストが一番安いことが分かる。
【００２７】
本発明の第１の実施形態では、複数の端末の中のある端末（例えば、６）宛ての下り信号を送信する場合、ゲートウェイ２は各通信システム３〜５に対して、該当端末宛てのページング信号Ｓ１〜Ｓ３の送信を要求する。端末６は各通信システム３〜５から送信されたページング信号を受信し、それらページング信号Ｓ１〜Ｓ３内に含まれる通信コスト情報をもとに、通信コストがもっとも安い通信システム（本具体例では３の通信システムＡ）を選択する。
【００２８】
そして、端末６は選択した通信システムに対して接続要求を行う。ここでは、端末は通信システムＡを選択している。その結果、下り信号は通信システムAを介して、端末６に送信される。
【００２９】
なお、本実施形態では通信コストを従量課金としているが、接続時間課金とすることも可能である。また、本実施形態では、通信システムの選択の指標として、通信コストを用いているが、それ以外にも選択の指標とすることができ、例えば伝送速度や伝送品質、さらには通信コストとそれら伝送速度等を組み合わせたものを選択の指標として、通信システムを選択することも可能である。この場合、通信システム選択の指標となるこれら情報を、各通信システムから送信される各ページング信号に含んでおく必要がある。
【００３０】
（第２の実施形態）
図３は本発明の第２の実施形態の通信システムの概略構成を示すブロック図である。同図において、７はゲートウェイ２と端末６間に接続されるページングエージェントである。ページングエージェント７は移動局（図示しない）の位置情報から、各端末６がどの通信システムを利用可能か知ることができ、さらにその場所における各通信システムの通信コストや伝送速度といった情報を知ることができるものとする。その他の構成要素は上述の図１の本発明の第１の実施形態と同様なのでその詳細な説明は省略する。
【００３１】
図４の（Ａ）は、複数の端末の中のある端末６がページングエージェント７に送信する要求信号Ｓ１１の信号フォーマットの一例を示している。要求信号Ｓ１１は、送信先アドレスフィールド（ページングエージェントアドレス）、送信元アドレスフィールド（端末アドレス）、端末位置フィールド（端末位置情報）、および要求条件フィールド（例えば、通信コストが最も安い）を含む。
【００３２】
端末６は接続する通信システムに対する要求条件（例えば、通信コストが最も安い）を図４の（Ａ）の信号フォーマットを用いてページングエージェント７にあらかじめ通知しておく。
【００３３】
ページングエージェント７は端末６の位置情報およびその要求条件から最適な通信システム（例えば、３の通信システムＡ）を選択し、それを内部メモリ（図示しない）に記憶しておく。
【００３４】
その後、下り信号を端末６に送信する場合、ゲートウェイ２はページングエージェント７に、該当端末６がどの通信システムと接続を希望しているかを図４の（Ｂ）の信号フォーマットの問合せ信号Ｓ１２を用いて問い合わせる。問合せ信号Ｓ１２は、送信アドレスフィールド（ページングエージェントアドレス）、送信元アドレス（ゲートウェイアドレス）、および端末アドレスを含む。
【００３５】
ページングエージェント７は図４の（Ｃ）の信号フォーマットの回答信号Ｓ１３を用いてゲートウェイ２に回答する。回答信号Ｓ１３は送信先アドレスフィールド（ゲートウェイアドレス）、送信元アドレスフィールド（ページングエージェントアドレス）、端末アドレス、および最適通信システム名を含む。
【００３６】
ゲートウェイ２は回答された通信システム（最適通信システム）に対し、ページング信号送信要求信号Ｓ１４を用いて、該当端末へのページング信号の送信を要求する。ここでは、３の通信システムＡが最適通信システムとして選択されているものとする。
【００３７】
端末６は、通信システムＡから送信されたページング信号を受信し、通信システムＡに対して接続要求を返信する。その結果、下り信号は通信システムＡを介して、端末６に送信される。
【００３８】
本実施形態では、前述の第１の実施形態と同様に、通信システムの選択の指標として、通信コストを用いているが、それ以外にも選択の指標とすることができ、例えば伝送速度や伝送品質、さらには通信コストとそれら伝送速度等を組み合わせたものを選択の指標として、通信システムを選択することも可能である。この場合、端末６はページングエージェント７に送信する図４の（Ａ）の要求信号Ｓ１１中に自分の要求する条件（例えば、伝送速度）を要求条件フィールドに明記する必要がある。
【００３９】
（第３の実施形態）
図５は本発明の第３の実施形態の通信システムの概略構成を示すブロック図である。本実施形態は前述の第２の実施形態の変形例に相当し、図５の構成要素は図４の構成要素とほぼ同様なので、その詳細説明は省略する。
【００４０】
第３の実施形態が、第２の実施形態と異なる点は、後述のように、端末６に対してページング信号Ｓ２５を送信する通信システム（ページングシステムと称する）が予め設定されており（例えば、４の通信システムＢ）、ページングエージェント７で選択された最適通信システム名、つまり実際の情報信号の送信に用いる通信システム名がそのページング信号Ｓ２５に含まれて端末６に通知される点である。その他の動作は第２の実施形態とほぼ同様である。
【００４１】
また、図６の（Ａ）は端末６からページングエージェント７へ送信される要求信号Ｓ１１のフォーマットを示し、図６の（Ｂ）はゲートウェイ２がページングエージェント７へ送信する信号Ｓ１２のフォーマットを示し、図６の（Ｃ）はページエージェント７がゲートウェイ２に返信する信号Ｓ１３のフォーマットを示すが、これらフォーマットは図４の（Ａ）〜（Ｃ）に示した第２の実施形態の場合と同様である。
【００４２】
以下、本実施形態の動作を説明する。
【００４３】
端末６は接続する通信システムに対する要求条件（例えば、通信コストが最も安い）を図６の（Ａ）の信号フォーマットを用いてページングエージェント７にあらかじめ通知しておく。
【００４４】
ページングエージェント７は端末６の位置情報およびその要求条件から最適な通信システム（例えば、３の通信システムＡ）を選択し、それを内部メモリ（図示しない）に記憶しておく。
【００４５】
その後、下り信号を端末６に送信する場合、ゲートウェイ２はページングエージェント７に、該当端末６がどの通信システムと接続を希望しているかを図６の（Ｂ）の信号フォーマットの問合せ信号Ｓ１２を用いて問い合わせる。
【００４６】
ページングエージェント７は図６の（Ｃ）の信号フォーマットの回答信号Ｓ１３を用いてゲートウェイ２に回答する。
【００４７】
ゲートウェイ２は、その回答信号Ｓ１３の受信に応じて、予め決められているページングシステム（本実施形態では４の通信システムＢとする）に、該当端末６へのページング信号Ｓ２５の送信を要求する。ここで、ページング信号Ｓ２５には、実際の情報信号の送信に用いる通信システム（つまり、ページングエージェント７で選択された最適通信システム）名が記されている。
【００４８】
図６の（Ｄ）にそのページング信号Ｓ２５のフォーマットを示す。ページング信号Ｓ２５には呼び出し端末アドレス、およびシステム名フィールド（例えば、通信システムＡ）を含む。上記ページングシステムを決める基準としては、各システムの中でもっとも間欠受信比率が小さいものや、最も通信コストが安いものが考えられる。
【００４９】
端末６は、ページングシステム４から送信されたページング信号Ｓ２５を受信し、ページングシステム４に対して接続要求信号Ｓ２６を用いて接続要求を行うとともに、ページング信号Ｓ２５中に記された通信システム（例えば、通信システムＡ）からの情報信号の待ち受けを行う。
下り信号は通信システムＡを介して、端末６に送信される。
【００５０】
本実施形態では、前述の第２の実施形態と同様に、通信システムの選択の指標として、通信コストを用いているが、それ以外にも選択の指標とすることができ、例えば伝送速度や伝送品質、さらには通信コストとそれら伝送速度等を組み合わせたものを選択の指標として、通信システムを選択することも可能である。この場合、端末６はページングエージェント７に送信する図６の（Ａ）の要求信号Ｓ１１中に自分の要求する条件（例えば、伝送速度）を要求条件フィールドに明記する必要がある。
【００５１】
（他の実施の形態）
なお、本発明の目的は、前述した実施の形態の機能を実現するソフトウエアのプログラムコードを記録した記録媒体（記憶媒体）を、システムあるいは装置に供給し、そのシステムあるいは装置のコンピュータ（またはＣＰＵやＭＰＵ）が記録媒体に格納されたプログラムコードを読み出し、実行することによっても、達成されることは言うまでもない。この場合、記録媒体から読み出されたプログラムコード自体が前述した実施の形態の機能を実現することになり、そのプログラムコードを記録した記録媒体は本発明を構成することになる。そのプログラムコードを記録し、またテーブル等の変数データを記録する記録媒体としては、例えばフロッピディスク、ハードディスク、光ディスク、光磁気ディスク、不揮発性のメモリカードなどを用いことができる。
【００５２】
【発明の効果】
以上説明したように、本発明によれば、複数の通信システムを統合して一つの通信サービスを提供する通信システムにおいて、効率的なページング制御の実現が可能となる。
【図面の簡単な説明】
【図１】本発明の第１の実施形態の通信システムの概略構成を示すブロック図である。
【図２】図１の各通信システム３〜５から送信されるページング信号の一例を示す信号フォーマット図である。
【図３】本発明の第２の実施形態の通信システムの概略構成を示すブロック図である。
【図４】（Ａ）は図３の要求信号Ｓ１１の信号フォーマットの一例を示し、（Ｂ）は図３の最適システムの問い合わせ信号Ｓ１２の信号フォーマットの一例を示し、（Ｃ）は図３の回答信号Ｓ１３の信号フォーマットの一例を示す信号フォーマット図である。
【図５】本発明の第３の実施形態の通信システムの概略構成を示すブロック図である。
【図６】（Ａ）は図５の要求信号Ｓ１１の信号フォーマットの一例を示し、（Ｂ）は図５の最適システムの問い合わせ信号Ｓ１２の信号フォーマットの一例を示し、（Ｃ）は図５の回答信号Ｓ１３の信号フォーマットの一例を示し、（Ｄ）は図５のページング信号の信号フォーマットの一例を示す信号フォーマット図である。
【符号の説明】
１  外部ネットワーク
２  ゲートウェイ（ＧＷ）
３  通信システムＡ（最適通信システム）
４  通信システムＢ（ページングシステム）
５  通信システムＣ
６  端末
７  ページングエージェント
Ｓ１、Ｓ２，Ｓ３  ページング信号
Ｓ１１  要求信号
Ｓ１２  問い合わせ信号
Ｓ１３  回答信号
Ｓ１４  ページング信号送信要求信号
Ｓ１５  ページング信号
Ｓ１６  要求信号
Ｓ２４  ページング信号送信要求信号
Ｓ２５  ページング信号
Ｓ２６  接続要求信号
【図１】
0004033627.tif 000002
【図２】
0004033627.tif 000003
【図３】
0004033627.tif 000004
【図４】
0004033627.tif 000005
【図５】
0004033627.tif 000006
【図６】
0004033627.tif 000007